(57)【要約】【課題】光ファイバーを用いて干渉縞の発生を抑制しつつ、スペックルノイズの発生をも抑制する。【解決手段】本発明の粒子分析装置は、光を発する光源６６と、複数本の光ファイバー７０ａからなり、前記光源からの光が入射されるとともに粒子を含む試料流に対して光を出射する光ファイバー束７０と、光が照射された試料流中の粒子を撮像する撮像器６５と、を備える。【選択図】      図３
2011095181.tif 000002
【特許請求の範囲】
【請求項１】
光源と、
複数本の光ファイバーからなり、前記光源からの光が入射されるとともに粒子を含む試料流に対して光を出射する光ファイバー束と、
光が照射された試料流中の粒子を撮像する撮像器と、を備えている粒子分析装置。
【請求項２】
前記光源からの光が入射される前記光ファイバー束の入射面が、当該光の入射形状に対応した形状に形成されている請求項１に記載の粒子分析装置。
【請求項３】
前記光ファイバー束を構成する複数本の光ファイバーが、細長い光の入射形状に合わせて細長く配列されている請求項２に記載の粒子分析装置。
【請求項４】
前記光ファイバー束の前記入射面と前記出射面とが異なる形状に形成されている請求項２又は３に記載の粒子分析装置。
【請求項５】
前記光ファイバー束の出射面が、略円形状又は略正多角形状に形成されている請求項４に記載の粒子分析装置。
【請求項６】
前記光ファイバー束から出射された光を集光させるレンズ系が設けられ、このレンズ系を経た光の焦点位置が、前記試料流の手前位置又は前記試料流を過ぎた位置に配置されている請求項１〜５のいずれかに記載の粒子分析装置。
【請求項７】
前記粒子が、子宮頸部から採取された上皮細胞である請求項１〜６のいずれかに記載の粒子分析装置。
【請求項８】
前記粒子を含む試料をシース液によって包むことで試料流を形成するフローセルをさらに備える請求項１〜７のいずれかに記載の粒子分析装置。
【発明の詳細な説明】
【技術分野】
【０００１】
本発明は、光が照射された試料流中の粒子を撮像する機能を備えた粒子分析装置に関する。
【背景技術】
【０００２】
下記特許文献１には、細胞等の粒子を含む試料液とシース液とによって試料流を形成するシースフローセルと、パルス光を出射するパルス光源と、パルス光源から出射されたパルス光が導入される光ファイバと、光ファイバから出射するパルス光を集光して試料流に照射するコンデンサレンズと、パルス光が照射された試料流中の粒子の投影像を撮像するビデオカメラとを備えた粒子分析装置が開示されている。
この粒子分析装置では、パルス光源から出射されたパルス光を光ファイバーに通すことによってコヒーレンシーを低下させ、回折縞（干渉縞）の少ない粒子画像を得ることを可能にしている。
【先行技術文献】
【特許文献】
【０００３】
【特許文献１】特開２００１−７４６４３号公報
【発明の概要】
【発明が解決しようとする課題】
【０００４】
しかし、光ファイバを通ったパルス光で照明された粒子を撮像すると、その画像には、図９に示すようなスペックルノイズ（背景に白黒の斑点模様）が発生する場合がある。このスペックルノイズは、光ファイバー内におけるモード間のランダムな干渉や、光ファイバの内部の欠陥やコア径の歪み、温度変化によるコア径の膨張等が原因で発生する。
【０００５】
本発明は、光ファイバーを用いて干渉縞の発生を抑制しつつ、スペックルノイズの発生をも抑制して、明瞭な粒子画像を撮像することができる粒子分析装置を提供することを目的とする。
【課題を解決するための手段】
【０００６】
本発明の粒子分析装置は、光源と、複数本の光ファイバーからなり、前記光源からの光が入射されるとともに粒子を含む試料流に対して光を出射する光ファイバー束と、光が照射された試料流中の粒子を撮像する撮像器と、を備えていることを特徴としている。
【０００７】
本発明の粒子分析装置は、試料流中の粒子に対して光ファイバーを通った光を照射しているので、光のコヒーレンシーを低下させて干渉縞の少ない粒子画像を撮像することができる。また、光ファイバー束を構成する各光ファイバーにおいてスペックルノイズが発生しても、各光ファイバーを束にすることによって、各スペックルノイズを重ね合わせて平滑化することができる。これにより、全体としてスペックルノイズが少ない明瞭な粒子画像を撮像することができる。
【０００８】
前記光が入射される前記光ファイバー束の入射面は、当該光の入射形状に対応した形状に形成されていることが好ましい。
光ファイバー束は、複数本の光ファイバーを束ねることによって構成されているので、その束ね方（重ね合わせ方）を変えることによって、光の入射面や出射面の形状を光源側や試料流側の形状等の条件に合わせて自由に設定することができる。そして、例えば、光ファイバー束に入射する光の入射形状が細長い形状である場合には、これに対応するように、前記光ファイバー束を構成する複数本の光ファイバーを細長く配列することができる。
このような構成によって、光源から出射された光を効率よく光ファイバー束内に導入することができ、粒子の撮像に必要な光量を確保しやすくすることができる。
【０００９】
また、前記光ファイバー束の入射面と出射面とは、互いに異なる形状に形成されていてもよい。
以上のように、光ファイバー束の入射面が光の入射形状に対応した形状とされていた場合でも、光ファイバー束の出射面の形状は、光の入射形状に影響されることはないので、光の出射先（試料流）の条件に合わせて適切に設定することができる。
【００１０】
前記光ファイバー束の出射面は、略円形状又は略正多角形状に形成されているのが好ましい。光ファイバー束の出射面の形状が、例えば、細長い形状（楕円形状や長方形状等）であると、出射面に周方向の方向性が生じるため、試料流へ向けて出射面を配置するときに、出射面の周方向の向きを正確に設定する必要が生じるが、光ファイバー束の出射面の形状が略円形状又は略正方形状であると、出射面に周方向の方向性がほとんどなく、出射面の位置付けを容易に行うことができる。
【００１１】
前記光ファイバー束から出射された光を集光させるレンズ系が設けられ、このレンズ系を経た光の焦点位置が、試料流の手前位置又は試料流を過ぎた位置に配置されていることが好ましい。
複数本の光ファイバーを束にした場合、レンズ系を経て光が結像する焦点の位置では、各光ファイバーの明るさの違いや光ファイバー間の隙間がそのまま転写され、照明ムラが発生しやすくなる。本発明では、光の焦点位置を試料流の手前位置又は試料流を過ぎた位置に配置することにより、このような照明ムラを防止することができる。
【００１２】
本発明は、血球細胞や上皮細胞等、種々の粒子の分析装置に採用することができる。例えば、前記粒子は、子宮頸部から採取された上皮細胞であってもよく、この場合、子宮頸癌等の細胞の分析に粒子画像を役立てることができる。
【００１３】
また、本発明の粒子分析装置は、粒子を含む試料をシース液によって包むことで試料流を形成するフローセルを備えていることが好ましい。
【発明の効果】
【００１４】
本発明によれば、光ファイバーを用いて干渉縞の発生を抑制しつつスペックルノイズの発生をも抑制し、明瞭な粒子画像を得ることができる。
【図面の簡単な説明】
【００１５】
【図１】本発明の実施の形態に係る細胞分析装置の斜視説明図である。
【図２】図１に示される細胞分析装置の構成を示すブロック図である。
【図３】光学検出部の構成を示す図である。
【図４】レンズ系の側面図である。
【図５】レンズ系の平面図である。
【図６】光ファイバー束の断面図である。
【図７】（ａ）は、図６のＡ−Ａ矢視図、（ｂ）は図６のＢ−Ｂ矢示図である。
【図８】実施の形態に係る撮像部により撮像された背景画像である。
【図９】従来例に係る撮像部により撮像された背景画像である。
【発明を実施するための形態】
【００１６】
以下、添付図面を参照しつつ、本発明の細胞分析装置及び細胞分析方法の実施の形態を詳細に説明する。
［細胞分析装置の全体構成］
図１は、本発明の実施の形態に係る細胞分析装置１０の斜視説明図である。この細胞分析装置１０は、患者から採取した細胞（粒子）を含む測定試料をフローセルに流し、このフローセルを流れる測定試料に光を照射し、測定試料中の細胞から生じる光（前方散乱光、側方蛍光等）を検出・分析することで、上記細胞に癌細胞や異型細胞（以下、これらを「異常細胞」ともいう）が含まれているか否かを判断するとともに、光が照射された細胞の画像を撮像するのに用いられる。具体的に、本実施形態の細胞分析装置１０は、子宮頸部の上皮細胞を用いて子宮頸癌をスクリーニングするのに用いられる。
【００１７】
細胞分析装置１０は、試料の測定等を行う装置本体１２と、この装置本体１２に接続され、測定結果の分析等を行うシステム制御部１３とを備えている。
図２に示すように、細胞分析装置１０の装置本体１２は、測定試料から細胞や核のサイズ等の情報を検出するための光学検出部３と、信号処理回路４と、測定制御部１６と、モータ、アクチュエータ、バルブ等の駆動部１７と、各種センサ１８と、細胞の画像を撮像する撮像部２６とを備えている。
【００１８】
信号処理回路４は、光学検出部３の出力をプリアンプ（図示せず）により増幅したものに対して増幅処理やフィルタ処理等を行うアナログ信号処理回路と、アナログ信号処理回路の出力をデジタル信号に変換するＡ／Ｄコンバータと、デジタル信号に対して所定の波形処理を行うデジタル信号処理回路とを備えている。
【００１９】
また、測定制御部１６がセンサ１８の信号を処理しつつ駆動部１７の動作を制御することにより、測定試料の吸引や測定が行われる。子宮頸癌をスクリーニングする場合、測定試料としては、患者（被検者）の子宮頸部から採取した細胞（上皮細胞）に遠心（濃縮）、希釈（洗浄）、攪拌（タッピング）、ＰＩ染色等の公知の処理を施して調製されたものを用いることができる。調製された測定試料は試験管に収容され、装置本体１２のピペット（図示せず）下方位置に設置され、ピペットにより吸引されてシース液とともにフローセルに供給され、フローセルにおいて試料流が形成される。上記ＰＩ染色は、色素を含んでいる蛍光染色液であるヨウ化プロピジウム（ＰＩ）により行われる。ＰＩ染色では核に選択的に染色が施されるため、核からの蛍光が検出可能となる。
【００２０】
［測定制御部の構成］
測定制御部１６は、マイクロプロセッサ２０、記憶部２１、Ｉ／Ｏコントローラ２２、センサ信号処理部２３、駆動部制御ドライバ２４、及び外部通信コントローラ２５等を備えている。記憶部２１は、ＲＯＭ、ＲＡＭ等からなり、ＲＯＭには、駆動部１７を制御するための制御プログラム、及び、制御プログラムの実行に必要なデータが格納されている。マイクロプロセッサ２０は、制御プログラムをＲＡＭにロードし、又はＲＯＭから直接実行することが可能である。
【００２１】
マイクロプロセッサ２０には、センサ１８からの信号がセンサ信号処理部２３及びＩ／Ｏコントローラ２２を通じて伝達される。マイクロプロセッサ２０は、制御プログラムを実行することにより、センサ１８からの信号に応じて、Ｉ／Ｏコントローラ２２及び駆動部制御ドライバ２４を介して駆動部１７を制御することができる。
【００２２】
マイクロプロセッサ２０が処理したデータや、マイクロプロセッサ２０の処理に必要なデータは、外部通信コントローラ２５を介してシステム制御部１３等の外部の装置との間で送受信される。
【００２３】
［システム制御部の構成］
図１に示すように、システム制御部１３はパーソナルコンピュータ等からなり、本体２７と、表示部２８と、入力部２９とから主に構成されている。本体２７は、ＣＰＵ、ＲＯＭ、ＲＡＭ、ハードディスク、読出装置、入出力インターフェース、画像出力インターフェース等を備えている。
【００２４】
ハードディスクには、Ｗｉｎｄｏｗｓ（登録商標）等のオペレーティングシステムやアプリケーションプログラム、これらのプログラムの実行に用いるデータがインストールされ、これらのプログラムはＣＰＵによって実行される。アプリケーションプログラムには、測定制御部１６への測定オーダ（動作命令）の送信、装置本体１２で測定した測定結果の受信及び処理、処理した分析結果の表示等を行うためのプログラムが含まれる。
【００２５】
システム制御部１３の入出力インターフェースは、装置本体１２と接続されており、装置本体１２との間でデータ等の送受信を行うことが可能である。また、システム制御部１３の画像出力インターフェースは、ＬＣＤ又はＣＲＴ等で構成された表示部２８に接続されており、ＣＰＵから与えられた画像データに応じた映像信号を表示部２８に出力するように構成されている。
【００２６】
［光学検出部及び撮像部の構成］
図３は、光学検出部３及び撮像部２６の構成を示す図である。この光学検出部３は、半導体レーザからなる光源５３を備え、この光源５３から放射されたレーザ光は、レンズ系５２を経てフローセル５１を流れる測定試料（試料流）に集光する。このレーザ光により測定試料中の細胞から生じた前方散乱光は、対物レンズ５４及びフィルタ５６を経てフォトダイオード（第１検出器）５５によって検出される。なお、レンズ系５２は、コリメータレンズ、シリンダーレンズ、コンデンサレンズ等を含むレンズ群から構成されている。
【００２７】
さらに、細胞から生じた側方蛍光及び側方散乱光は、フローセル５１の側方に配置された対物レンズ５６を経てダイクロイックミラー６１に入射する。そして、このダイクロイックミラー６１を反射した側方蛍光及び側方散乱光がダイクロイックミラー６２に入射し、さらにダイクロイックミラー６２を透過した側方蛍光がフィルタ６３を経てフォトマルチプライヤ（第２検出器）５９によって検出される。また、ダイクロイックミラー６２を反射した側方散乱光は、フィルタ６４を経てフォトマルチプライヤ（第３検出器）５８によって検出される。
【００２８】
フォトダイオード５５、フォトマルチプライヤ５８及びフォトマルチプライヤ５９は、検出した光を電気信号に変換し、それぞれ、前方散乱光信号（ＦＳＣ）、側方散乱光信号（ＳＳＣ）及び側方蛍光信号（ＳＦＬ）を出力する。これらの信号は、図示しないプリアンプにより増幅された後、上述した信号処理回路４（図２参照）に送られる。
【００２９】
図２に示すように、信号処理回路４では、フィルタ処理やＡ／Ｄ変換処理等の信号処理が施されて前方散乱光データ（ＦＳＣ）、側方散乱光データ（ＳＳＣ）及び側方蛍光データ（ＳＦＬ）が取得される。また、測定制御部１６では、これらデータを用いて各種特徴パラメータが取得される。この特徴パラメータは、例えば、前方散乱光の信号波形のパルス幅（ＦＳＣＷ）、前方散乱光の信号波形のピーク値（ＦＳＣＰ）、蛍光信号波形のピーク値（ＰＥＡＫ）、蛍光信号の差分積分値（ＤＩＶ）、側方散乱光の信号波形のパルス幅（ＳＳＣＷ）、蛍光信号のパルスの面積（蛍光量）（ＳＦＬＩ）等である。
【００３０】
以上の測定データ（光データ及び特徴パラメータ）は、マイクロプロセッサ２０によって、外部通信コントローラ２５を介して前述したシステム制御部１３へ送られ、ハードディスクに記憶される。システム制御部１３では、前方散乱光データ（ＦＳＣ）、側方散乱光データ（ＳＳＣ）、側方蛍光データ（ＳＦＬ）及び特徴パラメータに基づいて、細胞が異常であるか否かの弁別が行われる。そして、システム制御部１３のＣＰＵは、異常細胞の弁別結果から所定の分析、例えば異常細胞比率の演算を行う。
【００３１】
この異常細胞比率とは、分析対象となる細胞の中で異常細胞が占める割合であり、異常細胞の数Ｘと正常細胞の数Ｚとの関係で例えば次の式（１）で表される。
異常細胞比率：Ｗ＝Ｘ／（Ｘ＋Ｚ）・・・（１）
異常細胞比率は分析結果としてシステム制御部１３の表示部２８に表示され、細胞検査士や医師による診断に供せられる。また、このときシステム制御部１３のＣＰＵは、横軸がパルス幅（ＦＳＣＷ）、縦軸がピーク値（ＦＳＣＰ）のＦＳＣＷ−ＦＳＣＰスキャッタグラム及び縦軸が蛍光信号波形の差分積分値（ＤＩＶ）をピーク値（ＰＥＡＫ）で除した値（ＤＩＶ／ＰＥＡＫ）、横軸が側方散乱光の信号波形のパルス幅（ＳＳＣＷ）の（ＤＩＶ／ＰＥＡＫ）−ＳＳＣＷスキャッタグラムなどを作成し、表示部２８に表示する。
【００３２】
また、本実施の形態の装置本体１２には、光学検出部３に加えて撮像部２６が設けられている。この撮像部２６は、パルスレーザからなる光源６６とＣＣＤカメラ（撮像器）６５とを備えており、光源６６からのパルスレーザ光は、光ファイバー束７０及びレンズ系６０を経てフローセル５１に入射し、さらに対物レンズ５６及びダイクロイックミラー６１を透過してカメラ６５に結像する。
【００３３】
光源６６は、システム制御部１３において弁別された異常細胞をカメラ６５によって撮像するタイミングで発光する。本実施の形態の光源６６は、波長λ＝７８０ｎｍ、コヒーレンス長１５０μｍのパルスレーザ光を発光し、フローセル５１内を流速約１３．３ｍ／ｓｅｃで流れる粒子をブレなく撮像するために、発光時間が１０ｎｓｅｃ以下（例えば、約６．８ｎｓｅｃ）とされている。
【００３４】
図２に示すように、カメラ６５によって撮像された異常細胞の画像は、マイクロプロセッサ２０によって、外部通信コントローラ２５を介してシステム制御部１３へ送られる。そして、異常細胞の画像は、その細胞の前方散乱光データ（ＦＳＣ）、側方散乱光データ（ＳＳＣ）及び側方蛍光データ（ＳＦＬ）に基づいて求められた特徴パラメータに対応づけてハードディスクに記憶される。
【００３５】
（レンズ系及び光ファイバー束の構成）
次に、撮像部２６におけるレンズ系６０及び光ファイバー束７０について詳細に説明する。図４は、レンズ系６０の側面図、図５はレンズ系６０の平面図、図６は、光ファイバー束７０の断面図、図７（ａ）は、図６のＡ矢視図、図７（ｂ）は図６のＢ矢示図である。
図５に示すように、光源６６には複数本の光ファイバーを束ねた光ファイバー束７０が接続されている。本実施の形態では、図７に示すように、７本の光ファイバー７０ａを束ねることによって１本の光ファイバー束７０が形成されている。光源６６から出射されたパルスレーザ光は、図６に示すように、コンデンサレンズ６６ａを介して光ファイバー束７０の一端に入射し、光ファイバー束７０の他端から出射される。なお、光ファイバー束７０の入射側端部にはフェルール７０ｂが設けられ、出射側端部にはコネクタ部７０ｃが設けられている。
【００３６】
図７（ａ）に示すように、光源６６から出射されるパルスレーザ光は、横方向（フローセル５１における試料流方向に直交する方向）に細長い形状とされ、コンデンサレンズ６６ａを経たパルスレーザ光も同様に、点線Ｌで示すように横方向に細長い形状とされ、かつ所定の開口数（ＮＡ）に調整されている。これに対して、光ファイバー束７０の入射面７１も横方向に細長く形成されており、具体的には、複数本の光ファイバー７０ａが横方向に一列に配列されている。このように、パルスレーザ光の入射形状に対応する形状に光ファイバー束７０の入射面７１を形成することによって、パルスレーザ光を効率よく光ファイバー束７０に導入することができ、粒子の撮像に必要な光量を確保し易くすることができる。
【００３７】
光ファイバー束７０の出射面７２は、図７（ｂ）に示すように、複数本の光ファイバー７０ａを束ねることによって円形状乃至正六角形状とされ、周方向の方向性をほとんどもたない形状に形成されている。そのため、光ファイバー束７０の出射面７２をレンズ系６０に向けて配置する際に、当該出射面７２の周方向の向きを考慮する必要が無く、出射面７２の位置付けを容易に行うことができる。
【００３８】
本実施の形態の光ファイバー束７０は、ＮＡ（開口数）０．２、コア径１１４μｍ、クラッド径１２５μｍ、長さ１５０ｍｍのＳＩ型マルチモード光ファイバーを束にしたバンドルファイバが用いられている。このＳＩ型マルチモード光ファイバーは、この光路差が光源６６によるパルスレーザ光のコヒーレンス長（約１５０μｍ）よりも十分に長いため、撮像画像における干渉縞の発生を好適に防止することができる。なお、光ファイバー束７０における光ファイバー７０ａの本数や長さは、この実施の形態に限定されるものではなく、例えば、長さ１００ｍｍ程の光ファイバー７０ａを１０本程度束ねてもよい。
【００３９】
図４及び図５に示すように、本実施の形態のレンズ系６０は、両凸単レンズ６０ａ、平凸シリンドリカルレンズ６０ｂ、両Ｒシリンドリカルレンズ６０ｃ、両Ｒ球面レンズ６０ｄ、両Ｒ球面シリンドリカルレンズ６０ｅを含むレンズ群から構成されている。
図５に示すように、光ファイバー束７０から出射されたパルスレーザ光を上方から見ると、光ファイバー束７０から出射されて拡散するパルスレーザ光は、両凸単レンズ（コリメータレンズ）６０ａに入射して平行光に変化され、平凸シリンドリカルレンズ６０ｂを屈折することなく通過し、両Ｒシリンドリカルレンズ６０ｃ、両Ｒ球面レンズ６０ｄ、及び両Ｒ球面シリンドリカルレンズ６０ｅにより、フローセル５１よりも後方の焦点位置Ｐで集光（結像）する。
【００４０】
一方、図４に示すように、光ファイバー束７０から出射されたパルスレーザ光を側面から見ると、光ファイバー束７０から出射されて拡散するパルスレーザ光は、両凸単レンズ６０ａで平行光に変換され、平凸シリンドリカルレンズ６０ｂで測定試料の流れ方向Ｆに収束された後に拡散し、両Ｒシリンドリカルレンズ６０ｃを屈折することなく通過した後、両Ｒ球面レンズ６０ｄ及び両Ｒ球面シリンドリカルレンズ６０ｅによってフローセル５１よりも後方の焦点位置Ｐで集光（結像）する。そして、パルスレーザ光によって照射されたフローセル５１中の試料流の細胞がカメラ６５によって撮像される。
【００４１】
以上のように、本実施の形態の細胞分析装置では、光源６６とフローセル５１との間の光路として複数本の光ファイバ７０ａからなる光ファイバー束７０が用いられている。従来は、一本の光ファイバーが用いられていたので、この光ファイバー内におけるモード間のランダムな干渉や、光ファイバ７０ａの内部の欠陥やコア径の歪み、温度変化によるコア径の膨張等が原因で、撮像画像にスペックルノイズが発生する場合があったが、本実施の形態では、各光ファイバー７０ａにおいてスペックルノイズが発生したとしても、各光ファイバー７０ａが束となることによって、各スペックルノイズを重ね合わせて平滑化することができる。そのため、全体としてスペックルノイズを低減することができ、カメラ６５によってノイズの少ない明瞭な粒子画像を撮像することができる。
【００４２】
図８は、光ファイバー束を使用した本実施の形態の撮像部により撮像された背景画像であり、図９は、１本の光ファイバーを使用した従来の撮像部により撮像された背景画像である。従来は、図９に示すように、背景全体に細かい白黒の斑点模様、すなわちスペックルノイズが現れているのに対して、本実施の形態では、図８に示すように、白黒の斑点模様が少なくなり、スペックルノイズが低減されているのが解る。
【００４３】
また、パルスレーザ光は、各光ファイバー７０ａを通過することによってコヒーレンシーが低下するので、干渉縞の発生も抑制することができる。
なお、フローセル５１にパルスレーザ光を照射させるレンズ系６０のＮＡは、φ５μｍ程度の粒子に対して干渉縞の可視度を十分に低下させるため、０．１以上、例えば０．１５５に設定するのが好ましい。
【００４４】
本実施の形態の撮像部２６では、複数本の光ファイバ７０ａからなる光ファイバー束７０が用いられているので、各光ファイバー７０ａから出射されてレンズ系６０を経たパルスレーザ光は、焦点位置Ｐにおいて、各光ファイバー７０ａの明るさの違いや各光ファイバー７０ａの隙間がそのまま転写される。したがって、この焦点位置Ｐで試料流にパルスレーザ光を照射すると照明ムラが発生しやすくなるという問題が生じる。そのため、本実施の形態では、レンズ系６０を経たパルスレーザ光の焦点位置Ｐを試料流よりも後方にずらす（デフォーカスする）ことによって、試料流に照射されるパルスレーザ光による照明ムラの発生を防止している。
なお、各光ファイバー７０ａから出射されたパルスレーザ光の焦点位置Ｐは、試料流の手前に配置してもよく、これによっても同様の理由で照明ムラの発生を防止することができる。また、試料流と焦点位置Ｐとの距離Ｌ（図５参照）は、１．０〜２．０ｍｍ（例えば、１．６ｍｍ）とすることができ、試料流に照射する部分でのスポットサイズは細胞の径よりも十分に大きい寸法、例えば約２ｍｍとすることができる。
【００４５】
撮像部２６によって撮像された画像データは、測定制御部１６のマイクロプロセッサ２０によって外部通信コントローラ２５を介してシステム制御部１３へ送られ、ハードディスクに記憶され、その後、分析結果とともに表示部２８（図１参照）に表示される。撮像部２６によって撮像された粒子画像は、干渉縞やスペックルノイズの少ない明瞭な画像となるので、使用者が目で見て細胞の形態を確認することにより、真に異常細胞であるか否かを適切に判断することができる。また、その判断を異常細胞比率等の分析結果に反映させてもよい。
【００４６】
なお、今回開示された実施の形態は、すべての点で例示であって制限的なものではないと考えられるべきである。本発明の範囲は、上記した実施の形態の説明ではなく特許請求の範囲によって示され、さらに特許請求の範囲と均等の意味及び範囲内でのすべての変更が含まれる。
【００４７】
たとえば、光ファイバー束７０を構成する光ファイバー７０ａの本数や、光ファイバー７０ａのコア径、長さ、ＮＡ等の仕様は適宜変更することができ、レンズ系６０におけるレンズ群の構成についても適宜変更することが可能である。
また、上記実施の形態の細胞分析装置は、子宮頸部の上皮細胞を分析するものとされているが、これに限定されるものではなく、口腔細胞、膀胱や咽頭等他の上皮細胞、さらには血球細胞等、種々の細胞（粒子）を分析するために用いることができる。
【００４８】
また、上記した実施の形態において、光源６６として、パルス光を出射するパルスレーザ光源を用いている。しかし、本発明はこれに限らない。例えば、光源６６として、連続光を出射するレーザ光源を用いてもよい。
【符号の説明】
【００４９】
１０  細胞分析装置
１２  装置本体
１３  システム制御部
１６  測定制御部
２６  撮像部
６０  レンズ系
６５  カメラ（撮像器）
６６  光源
７０  光ファイバー束
７０ａ  光ファイバー
７１  光ファイバー束の入射面
７２  光ファイバー束の出射面
【図１】
2011095181.tif 000003
【図２】
2011095181.tif 000004
【図３】
2011095181.tif 000005
【図４】
2011095181.tif 000006
【図５】
2011095181.tif 000007
【図６】
2011095181.tif 000008
【図７】
2011095181.tif 000009
【図８】
2011095181.tif 000010
【図９】
2011095181.tif 000011